(57)【要約】      （修正有）【課題】電源供給回路の異常を検出するためのモニタ回路を必要とせず、回路数の削減、基板の小型化、コストを削減でき、また、必要に応じて機能を設定でき、汎用性を高めることが可能な電子装置を提案する。【解決手段】外部スイッチ２−１，２−２の状態を判別する複数のスイッチ状態判別回路３−１，３−２と、スイッチ状態判別回路に電源として電圧を出力する電源供給回路４と、を備えた電子装置１において、外部スイッチに接続されていないスイッチ状態判別回路３−３を用いて、電源供給回路の異常を検出する異常検出手段を備えたことを特徴とする。【選択図】図１
2015201411.tif 000002
【特許請求の範囲】
【請求項１】
外部スイッチの状態を判別する複数のスイッチ状態判別回路と、前記スイッチ状態判別回路に電源として電圧を出力する電源供給回路と、を備えた電子装置において、前記外部スイッチに接続されていない前記スイッチ状態判別回路を用いて、電源供給回路の異常を検出する異常検出手段を備えたことを特徴とする電子装置。
【発明の詳細な説明】
【技術分野】
【０００１】
この発明は電子装置に係り、特に、使用されていないスイッチ状態判別回路を有効活用して電源供給回路の異常を検出可能な電子装置に関する。
【背景技術】
【０００２】
車両などに搭載される電子装置においては、図８に示すような回路構成により、外部スイッチの状態を判定する。図８において、電子装置１０１は、外部スイッチ１０２の状態を判別するスイッチ状態判別回路１０３と、スイッチ状態判別回路１０３に電源として電圧を出力する電源供給回路１０４とを備える。電子装置１０１は、スイッチ状態判別回路１０３と電源供給回路１０４とを動作制御する制御回路１０５を備える。制御回路１０５は、電源供給回路１０４に接続される出力ポート１０６と、スイッチ状態判別回路１０３に接続される入力ポート１０７とを備える。
電子装置１０１は、制御回路１０５によって、出力ポート１０６から電源供給回路１０４に制御パルスを出力して電源１０８を制御し、入力ポート１０７から入力される電圧値で外部スイッチ１０２の状態を判別する。
【０００３】
電子装置１０１は、以下のようにスイッチ状態の判別を行う。
（１）制御回路１０５は、出力ポート１０６より制御パルスを出力する。
（２）電源供給回路１０４は、出力ポート１０６から出力される制御パルスの周期で電源１０８を制御する。
（３）電源１０８の電圧は、スイッチ状態判別回路１０３にプルアップ電源として供給される。
（４）外部スイッチ１０２の状態が切り替わる。
（５）制御回路１０５は、入力ポート１０７の電圧値を確認して、外部スイッチ１０２の状態を判別する。
制御回路１０５は、出力ポート１０６の制御パルスがＯＮ（ＨＩＧＨ）のタイミング（Ｔ１、Ｔ２）で入力ポート１０７の電圧を確認する制御となっている。そのため、制御回路１０５は、外部スイッチ１０２がＯＦＦの場合は入力ポート１０７の電圧をＨＩＧＨと認識し、外部スイッチ１０２がＯＮの場合は入力ポート１０７の電圧をＬＯＷと認識することになる。
【０００４】
従来の電力供給を制御する電子装置には、特許第４４６４８０８号に、入力ポートの電圧値を検出する電圧検出手段を外部に設け、電圧検出出段により検出した電圧値に基づいて電源供給回路の異常を判定し、回路素子の保護を図る技術が開示されている。
【先行技術文献】
【特許文献】
【０００５】
【特許文献１】特許第４４６４８０８号公報
【発明の概要】
【発明が解決しようとする課題】
【０００６】
ところで、電子装置１０１は、汎用性を持たせるために、同じ電源１０８を利用した同様のスイッチ状態判別回路１０３を複数備える。例えば、図９に示すように、電子装置１０１は、外部スイッチ１０２−１〜１０２−３の状態を判別するスイッチ状態判別回路１０３−１〜１０３−３と、電源供給回路１０４と、制御回路１０５とを備える。制御回路１０５は、出力ポート１０６と、スイッチ状態判別回路１０３−１〜１０３−３に接続される入力ポート１０７−１〜１０７−３とを備える。電子装置１０１は、複数のスイッチ状態判別回路１０３−１〜１０３−３を、システム上において、または、仕向け地により、必要なものを選択できるようにしている。
ところが、複数のスイッチ状態判別回路１０３−１〜１０３−３のうち、必要なものを選択できるようにした電子装置１０１は、システム上、または、仕向け地によっては、外部スイッチが接続されず、使用されないスイッチ状態判別回路がでてきてしまうことがある。例えば、電子装置１０１は、スイッチ状態判別回路１０３−１、１０３−２が使用され、スイッチ状態判別回路１０３−３が使用されないことがある。このため、従来の電子装置１０１においては、汎用性が低下する問題がある。
また、従来の電子装置１０１においては、電源供給回路１０４の異常を検出しようとした場合、電圧監視専用のモニタ回路１０９（特許第４４６４８０８号の電圧検出手段に相当）を設定する必要がある。このため、従来の電子装置１０１においては、回路数の増加、基板の大型化、コスト上昇を招く問題がある。
【０００７】
この発明は、電源供給回路の異常を検出するためのモニタ回路を必要とせず、回路数の削減、基板の小型化、コストを削減でき、また、必要に応じて機能を設定でき、汎用性を高めることが可能な電子装置を提案することを目的とする。
【課題を解決するための手段】
【０００８】
この発明は、外部スイッチの状態を判別する複数のスイッチ状態判別回路と、前記スイッチ状態判別回路に電源として電圧を出力する電源供給回路と、を備えた電子装置において、前記外部スイッチに接続されていない前記スイッチ状態判別回路を用いて、電源供給回路の異常を検出する異常検出手段を備えたことを特徴とする。
【発明の効果】
【０００９】
この発明は、外部スイッチに接続されていない未使用のスイッチ状態判別回路がある場合、未使用のスイッチ状態判別回路を用いて電源供給回路の異常を検出することができるため、電源供給回路の異常を検出するためのモニタ回路を不要とすることができる。
このため、この発明は、回路数の削減、基板の小型化、コストを削減でき、また、必要に応じて機能を設定でき、汎用性を高めることが可能になる。
【図面の簡単な説明】
【００１０】
【図１】図１は複数のスイッチ状態判別回路を備えた電子装置の回路構成図である。（実施例）
【図２】図２は異常検出の制御フローチャートである。（実施例）
【図３】図３は正常時の電子装置の回路動作図である。（実施例）
【図４】図４はＬＯＷ固着による異常時の電子装置の回路動作図である。（実施例）
【図５】図５は周期の乱れによる異常時の電子装置の回路動作図である。（実施例）
【図６】図６は電圧不安定による異常時の電子装置の回路動作図である。（実施例）
【図７】図７は入力ポートの判定電圧値の組み合わせを示す図である。（実施例）
【図８】図８はスイッチ状態判別回路を備えた基本的な電子装置の回路構成図である。（従来例）
【図９】図９は複数のスイッチ状態判別回路を備えた電子装置の回路構成図である。（従来例）
【発明を実施するための形態】
【００１１】
以下、図面に基づいて、この発明の実施例を説明する。
【実施例】
【００１２】
図１〜図７は、この発明の実施例を示すものである。図１において、車両などに搭載される電子装置１は、外部スイッチ２の状態を判別する複数のスイッチ状態判別回路３を備える。図１の電子装置１は、３つのスイッチ状態判別回路３−１、３−２、３−３を備える。スイッチ状態判別回路３−１、３−２、３−３には、システム上、または、仕向け地によって、それぞれ外部スイッチ２−１、２−２、２−３が選択的に接続される。なお、電子装置１は、仕様によって、３つ以上のスイッチ状態判別回路３を備えることもある。
電子装置１は、スイッチ状態判別回路３−１〜３−３に電源として電圧を出力する電源供給回路４を備える。電子装置１は、スイッチ状態判別回路３−１〜３−３と電源供給回路４とを動作制御する制御回路５を備える。制御回路５は、電源供給回路４に接続される出力ポート６と、スイッチ状態判別回路３−１〜３−３にそれぞれ接続される複数の入力ポート７−１〜７−３とを備える。
電子装置１は、制御回路５によって、出力ポート６から電源供給回路４に制御パルスを出力して電源８を制御し、入力ポート７−１〜７−３から入力する電圧値で外部スイッチ２−１〜２−３の状態を判別する。
【００１３】
電子装置１は、以下のようにスイッチ状態の判別を行う。
（１）制御回路５は、出力ポート６から制御パルスを出力する。
（２）電源供給回路４は、制御パルスの周期で電源８を制御する。
（３）電源８の電圧は、スイッチ状態判別回路３−１〜３−３にプルアップ電源として供給される。
（４）外部スイッチ２−１〜２−３の状態が切り替わる。
（５）制御回路５は、入力ポート７−１〜７−３の電圧値を確認して、外部スイッチ２−１〜２−３の状態を判別する。
制御回路５は、出力ポート６の制御パルスがＯＮ（ＨＩＧＨ）したタイミング（Ｔ１、Ｔ２）で入力ポート７−１〜７−３の電圧を確認する制御となっている。そのため、制御回路５は、外部スイッチ２−１〜２−３がＯＦＦの場合は入力ポート７−１〜７−３の電圧をＨＩＧＨと認識し、外部スイッチ２−１〜２−３がＯＮの場合は入力ポート７−１〜７−３の電圧をＬＯＷと認識することになる。
【００１４】
電子装置１は、システム上、または、仕向け地によって、複数のスイッチ状態判別回路３−１〜３−３のうち、いずかれ１つを使用されないことがある。例えば、電子装置１は、スイッチ状態判別回路３−１、３−２には外部スイッチ２−１、２−２が接続されて使用され、スイッチ状態判別回路３−３には外部スイッチ２−３が接続されずに使用されないことがある。
電子装置１は、外部スイッチ２−３が接続されず使用されないスイッチ状態判別回路２−３を用いて、電源供給回路４の異常を検出する異常検出手段９を備えている。異常検出手段９は、制御回路５に設けられる。異常検出出段９は、電源供給回路４に接続される出力ポート６の電圧値とスイッチ状態判別回路３−３に接続される入力ポート７−３の電圧値とを比較して、電源供給回路４の異常を検出する。
【００１５】
次に作用を説明する。
電子装置１は、スイッチ状態判別回路３−１、３−２が使用され、スイッチ状態判別回路３−３が使用されていない。電子装置１は、使用されないスイッチ状態判別回路３−３を用いて、異常検出手段９により電源供給回路４の異常を検出する。
電子装置１は、図２に示すように、異常検出のプログラムを開始すると（Ｓ０１）、制御回路５の出力ポート６から電源供給回路４に制御パルスを出力し（Ｓ０２）、制御パルスの周期で電源８を駆動し（Ｓ０３）、スイッチ状態判別回路３−１〜３−３にプルアップ電源として供給する。
電子装置１は、出力ポート６の電圧値と、使用されていないスイッチ状態判別回路３−３の入力ポート７−３の電圧値とを比較して、電源供給回路４が正常であるか異常であるかを判断する（Ｓ０４）。
判断（Ｓ０４）が正常の場合は、制御パルスの出力（Ｓ０２）に戻る。判断（Ｓ０４）が異常の場合は、出力ポート６からの制御パルスの出力を停止し（Ｓ０５）、異常検出のプログラムを終了する（Ｓ０６）。
電子装置１は、出力ポート６からの制御パルスの出力停止で、電源供給回路４の駆動を停止する。電子装置１は、電源供給回路４の駆動停止によって、搭載された車両などの挙動が乱れないようにする。
【００１６】
電子装置１は、ステップ（Ｓ０４）において、図３〜図７に示すように、出力ポート６の電圧値と使用されていないスイッチ状態判別回路３−３の入力ポート７−３の電圧値とを比較し、電源供給回路４の正常、異常を判断する。具体的には、電子装置１は、出力ポート６の電圧がＨＩＧＨとなるタイミングＴ１、Ｔ２で入力ポート７−３の電圧を確認し、出力ポート６の電圧のＨＩＧＨ、ＬＯＷに対して入力ポート７−３の電圧のＨＩＧＨ、ＬＯＷがどのように変化しているかによって、正常、異常を判断する。
図３に示すように、電子装置１は、出力ポート６の電圧値のＨＩＧＨ、ＬＯＷに対して入力ポート７−３の電圧のＨＩＧＨ、ＬＯＷが対応して変化し、それぞれＨＩＧＨ判定領域（Ｈ）、ＬＯＷ判定領域（Ｌ）にある場合、電源供給回路４が正常であると判定する。
図４に示すように、電子装置１は、出力ポート６の電圧のＨＩＧＨ、ＬＯＷに対して入力ポート７−３の電圧のＨＩＧＨ、ＬＯＷが対応して変化せず、ＬＯＷ判定領域（Ｌ）に固着している場合（あるいは、ＨＩＧＨ判定領域（Ｈ）に固着している場合）、電源供給回路４が異常であると判定する。
図５に示すように、電子装置１は、出力ポート６の電圧のＨＩＧＨ、ＬＯＷに対して入力ポート７−３の電圧のＨＩＧＨ、ＬＯＷの周期にずれを生じている場合、電源供給回路４が異常であると判定する。
図６に示すように、電子装置１は、出力ポート６の電圧値のＨＩＧＨ、ＬＯＷに対して入力ポート７−３の電圧のＨＩＧＨ、ＬＯＷの振幅が定まらず、電圧値の周期が不安定である場合、電源供給回路４が異常であると判定する。
図３〜図６の入力ポートの判定電圧値（ＨＩＧＨ、ＬＯＷ）の組み合わせは、図７のようになる。電子装置１は、入力ポートの判定電圧値（ＨＩＧＨ、ＬＯＷ）の組み合わせによって、電源供給回路４が正常であるか異常であるかを判定する。電子装置１は、異常を検出した場合、出力ポート６からの制御パルスの出力を停止し、電源供給回路４の駆動を停止して、電子装置１が搭載された車両などの挙動が乱れないようにする。
【００１７】
このように、電子装置１は、外部スイッチ２−３に接続されていない未使用のスイッチ状態判別回路３−３がある場合、未使用のスイッチ状態判別回路３−３を用いて電源供給回路４の異常を検出することができるため、電源供給回路４の異常を検出するためのモニタ回路を不要とすることができる。
このため、電子装置１は、回路数の削減、基板の小型化、コストを削減でき、また、必要に応じて機能を設定でき、汎用性を高めることが可能になる。
なお、実施例においては、使用されていないスイッチ状態判別回路としてスイッチ状態判別回路３−３を用いたが、スイッチ状態判別回路３−１、あるいはスイッチ状態判別回路３−２が使用されない場合、異常検出手段９による電源供給回路４の異常検出に、スイッチ状態判別回路３−１、あるいはスイッチ状態判別回路３−２を用いることができる。
【産業上の利用可能性】
【００１８】
この発明は、外部スイッチに接続されていない未使用のスイッチ状態判別回路を用いて電源供給回路の異常を検出することができるものであり、車両搭載される電子装置だけではなく、システム又は仕様により複数の入力回路の使用、未使用を切り替えるような電子装置において、未使用入力回路を電源供給回路のモニタ回路として用いることができる。
【符号の説明】
【００１９】
１  電子装置
２−１、２−２、２−３  外部スイッチ
３−１、３−２、３−３  スイッチ状態判別回路
４  電源供給回路
５  制御回路
７−１、７−２、７−３６  入力ポート
８  電源
９  異常検出出段
【図１】
2015201411.tif 000003
【図２】
2015201411.tif 000004
【図３】
2015201411.tif 000005
【図４】
2015201411.tif 000006
【図５】
2015201411.tif 000007
【図６】
2015201411.tif 000008
【図７】
2015201411.tif 000009
【図８】
2015201411.tif 000010
【図９】
2015201411.tif 000011